(57)【要約】【課題】  「行に含まれる文字が定められている文書」を表示する文字表示用電子機器において、拡大度合いを変えた場合でも、表示切り替えを最小限に抑え、ユーザーにとって読みやすい電子機器を提供する。【解決手段】  行に含まれる文字が定められた文書を、行の幅全体を表示する全幅表示状態よりも文書が拡大された、行の幅の一部を表示する部分行表示状態で表示装置に表示する文書表示用電子機器であって、制御装置によって、一又は複数の行を行幅方向で分割して複数の部分行領域に分け、その各部分行領域を順に、各部分行領域が改行方向に並ぶように、部分行表示状態で表示し、続く行についても同様に部分行表示状態で表示し、これによって、文書を部分行表示状態で表示する場合であっても、表示を切り替えずに行全体を表示する。【選択図】図１
2015036960.tif 000002
【特許請求の範囲】
【請求項１】
行に含まれる文字が定められた文書を、行の幅全体を表示する全幅表示状態よりも文書が拡大された、行の幅の一部を表示する部分行表示状態で表示装置に表示する文書表示用電子機器であって、
制御装置によって、
一又は複数の行を行幅方向で分割して複数の部分行領域に分け、
その各部分行領域を順に、各部分行領域が改行方向に並ぶように、部分行表示状態で表示し、
続く行についても同様に部分行表示状態で表示し、
これによって、文書を部分行表示状態で表示する場合であっても、表示を切り替えずに行全体を表示する
文書表示用電子機器。
【請求項２】
各部分行領域の表示には、その部分文書領域における部分行領域どうしの位置関係を表す表示が含まれる
請求項１の文書表示用電子機器。
【請求項３】
文書表示用電子機器は、表示装置を備え電池を内蔵する携帯可能な電子機器である
請求項１の文書表示用電子機器。
【請求項４】
制御装置によって、
文書内の分割困難画像を検出し、
分割困難画像において拡大が必要であると考えられる関心オブジェクトを検出し、
分割困難画像全体の倍率よりも大きな倍率で関心オブジェクトを表示するように分割困難画像を表示装置に表示し、
これによって、分割困難画像内の関心オブジェクトを認識しやすいように分割困難画像を表示装置に表示する
請求項１の文書表示用電子機器。
【請求項５】
関心オブジェクトは、文字列である
請求項４の文書表示用電子機器。
【発明の詳細な説明】
【技術分野】
【０００１】
本発明は、文書表示用電子機器に関する。
【背景技術】
【０００２】
近年、文書が電子データとしてやりとりされるようになり、プリントして紙で読む場合もあるが、電子機器で文書を表示させて読む機会が増えつつある。文書データとしては、プレーンテキスト形式や電子書籍データの形式の多く（例、Amazon Kindle（商標）が読み込み可能なMobipocket(mobi)形式）のように「行に含まれる文字が定められていない文書」の場合もあれば、ＰＤＦ形式（国際標準化機構によってISO 32000-1として標準化されている）やプレゼンテーション資料形式（例えば、PowerPoint形式）、画像形式（例、TIFF形式）のようにページのレイアウトが固定されていて「行に含まれる文字が定められている文書」もある。
【０００３】
電子文書を表示する際、文字が大きく表示されるように拡大表示したい場合がある。そのような場合、「行に含まれる文字が定められていない文書」の場合は一行に含まれる文字の数を変更することができ、よって行が連続していて読みやすい。しかし、「行に含まれる文字が定められている文書」の場合は行の最初の部分を読んだ後、表示を切り替えて行の次の部分を読む必要があり、次の行に進む前に表示の切り替えの必要性が発生してしまい、頻繁な表示切り替えの必要がある。
【０００４】
図５Ａ〜Ｃには従来技術の表示切り替えを示す。図５Ａに示すように、文書表示用電子機器１０Ｐは、表示装置２０Ｐを備える。図５Ｂに示す文書を表示装置２０Ｐに表示する際、まず、図５Ｃの画面Ｄ１を表示し、ユーザーが行部分Ｌ１Ａを読んだ後、ユーザーの操作によって、その後、行部分Ｌ１Ｂを含む画面Ｄ２を表示する。その後、ユーザーが行部分Ｌ２Ａを読むために、再び画面Ｄ１を表示する。このように、従来技術では、文書を読む際に頻繁な表示切り替えが発生し、ユーザーに過度の負担を与えている。
【発明の概要】
【発明が解決しようとする課題】
【０００５】
本発明は、「行に含まれる文字が定められている文書」を表示する電子機器において、拡大度合いを変えた場合でも、表示切り替えを最小限に抑え、ユーザーにとって読みやすい電子機器を提供することを目的とする。
【課題を解決するための手段】
【０００６】
本発明の一態様は、行に含まれる文字が定められた文書を、行の幅全体を表示する全幅表示状態よりも文書が拡大された、行の幅の一部を表示する部分行表示状態で表示装置に表示する文書表示用電子機器であって、制御装置によって、一又は複数の行を行幅方向で分割して複数の部分行領域に分け、その各部分行領域を順に、各部分行領域が改行方向に並ぶように、部分行表示状態で表示し、続く行についても同様に部分行表示状態で表示し、これによって、文書を部分行表示状態で表示する場合であっても、表示を切り替えずに行全体を表示する文書表示用電子機器である。
【０００７】
「行に含まれる文字が定められている文書」とは、段落の終わりのように改行コードが入っている場合を除いて、段落の途中でも行の終わりが定められている文書のことである。例えば、ＰＤＦ形式やプレゼンテーション資料形式がある。これらの形式においては、基本的な使い方では、ページ全体でのレイアウトが変更されることが想定されていない。これに対し、「行に含まれる文字が定められていない文書」は、表示機器の表示幅に応じて、「行に含まれる文字の数を変えることができるような形式の文書のことである。
【０００８】
また、本発明の一態様は、行に含まれる文字が定められた文書を、行の幅全体を表示する全幅表示状態よりも文書が拡大された、行の幅の一部を表示する部分行表示状態で表示装置に表示する文書表示用電子機器において、制御装置によって、一又は複数の行を行幅方向で分割して複数の部分行領域に分けるステップと、その各部分行領域を順に、各部分行領域が改行方向に並ぶように、部分行表示状態で表示するステップと、続く行についても同様に部分行表示状態で表示するステップとを有し、これによって、文書を部分行表示状態で表示する場合であっても、表示を切り替えずに行全体を表示する文書表示方法である。
【０００９】
また、本発明の一態様は、行に含まれる文字が定められた文書を、行の幅全体を表示する全幅表示状態よりも文書が拡大された、行の幅の一部を表示する部分行表示状態で表示装置に表示する文書表示用電子機器であって、制御装置によって、文書を改行方向で分割して複数の部分文書領域に分け、その複数の部分文書領域の各部分文書領域を行幅方向で分割して複数の部分行領域に分け、複数の部分文書領域の第１の部分文書領域の各部分行領域を順に、各部分行領域が改行方向に並ぶように、部分行表示状態で表示し、第１の部分文書領域の各部分行領域の表示の次に、第１の部分文書領域に続く第２の部分文書領域の各部分行領域を順に、各部分行領域が改行方向に並ぶように、部分行表示状態で表示し、これによって、文書を部分行表示状態で表示する場合であっても、表示を切り替えずに一行全体を表示することができる文書表示用電子機器である。
【００１０】
また、本発明の一態様は、行に含まれる文字が定められた文書を、行の幅全体を表示する全幅表示状態よりも文書が拡大された、行の幅の一部を表示する部分行表示状態で表示装置に表示する文書表示用電子機器において、制御装置によって、文書を改行方向で分割して複数の部分文書領域に分けるステップと、その複数の部分文書領域の各部分文書領域を行幅方向で分割して複数の部分行領域に分けるステップと、複数の部分文書領域の第１の部分文書領域の各部分行領域を順に、各部分行領域が改行方向に並ぶように、部分行表示状態で表示するステップと、第１の部分文書領域の各部分行領域の表示の次に、第１の部分文書領域に続く第２の部分文書領域の各部分行領域を順に、各部分行領域が改行方向に並ぶように、部分行表示状態で表示するステップとを有し、これによって、文書を部分行表示状態で表示する場合であっても、表示を切り替えずに一行全体を表示する文書表示方法である。
【図面の簡単な説明】
【００１１】
【図１】本発明の一実施形態に従う文書表示用電子機器および表示を示す。
【図２】本発明の一実施形態に従う文書表示を示す。
【図３】本発明の一実施例に従う表示プロセスの流れ図である。
【図４】本発明の一実施例に従う表示プロセスの流れ図であり、図３と比べて画像の表示プロセスを含む。
【図５】図５Ａ〜Ｃには、従来技術の表示切り替えを示す。
【発明を実施するための形態】
【００１２】
図１Ａ〜Ｃには、本発明の一実施形態に従う文書表示用電子機器および表示を示す。図１Ａに示すように、文書表示用電子機器１０は、表示装置２０を備える。表示装置２０は、文書データを表示装置２０に表示してユーザーが読むためのものであり、短い辺と長い辺を有する長方形である。また、図示しないが、他に、制御装置、電池、ページめくりボタン、電源ボタンなどを備え、ユーザーが携帯できる電子機器である。文書表示用電子機器１０のハードウェア構成については、Amazon Kindleシリーズ（http://www.amazon.com/kindle）のKindle Paperwhite（商標）やKindle Fire（商標）と同様である。表示装置２０を液晶デバイスではなく、それよりも表示切り替え速度が遅く、省電力な電子インク技術を使用する場合、表示切り替えがユーザーに大きなストレスを与えることになってしまう。
【００１３】
図１Ｂには、典型的な「行に含まれる文字が定められた文書」ＤＯＣ１を示す。行には実際には文字が記載されるが、図の簡明さのため、矢印で描画している。１行目は、行部分Ｌ１Ａと行部分Ｌ１Ｂで構成し、２行目は、行部分Ｌ２Ａと行部分Ｌ２Ｂで構成する。３行目の右半分からは、画像Ｐ１が挿入されている。
【００１４】
この文書データは、ＰＤＦ形式であり、作成者は、レイアウトが変わること、すなわち、各行に含まれる文字が変わることを想定していない。また、行部分Ｌ１Ｂの後に行部分Ｌ２Ｂへと続く前に、論理的に改行があるのかないのかはわかりにくい。その判断をソフトウェアによって自動的に行うことは困難であるため、calibreのようなPDF形式をmobi形式に変換できる変換ソフトウェアでは、改行を削除する処理は行っていない。
【００１５】
図１Ｃは、文書ＤＯＣ１を実際に文書表示用電子機器１０の表示装置２０に表示する技術を示す図である。図１Ｂの行（例、Ｌ１Ａ＋Ｌ１Ｂ）の幅全体を表示装置２０に表示するような「全幅表示状態」では、文字や画像が小さくなってしまい、ユーザーにとって読みにくい。そのため、文書が拡大された、行の幅の一部を表示する「部分行表示状態」で表示したい。従来技術では、これを図５Ａ〜Ｃに示す方法で行っている。
【００１６】
本実施形態では、１〜３行目（Ｌ１Ａ＋Ｌ１Ｂ、Ｌ２Ａ＋Ｌ２Ｂ、Ｌ３）を行幅方向（図１Ｃの左右方向）で分割して２つの部分Ｌ１Ａ＋Ｌ２Ａ＋Ｌ３、Ｌ１Ｂ＋Ｌ２Ｂに分け、これらが改行方向（図１Ｃの上下方向）に順に並ぶように表示する。境界には中間線ＨＬが描かれる。そして、ページ送りボタン（図示せず）を押すと、表示が表示Ｄ２に切り替わる。
【００１７】
これによって、ユーザーは行部分Ｌ１Ａを読んだ後、表示を切り替えずに、中間線ＨＬの下の行部分Ｌ１Ｂを読むことができ、さらに、その後表示を切り替えずに、行部分Ｌ２Ａ、行部分Ｌ２Ｂ、行Ｌ３を読むことができる。
【００１８】
図２Ａ、Ｂは、別の実施形態を示す図である。  図２Ａには、図１Ｂと同じ文書ＤＯＣ１を示す。図２Ｂの文書表示用電子機器１０において、表示装置２０の長方形の長い辺が行幅方向に対応するようになっている。このように行幅方向を比較的長くすることによって、所定の幅を表示しながら文書ＤＯＣ１の表示をより大きく拡大することができる。
【００１９】
本実施形態では、制御装置によって、文書ＤＯＣ１において各行の位置を画像認識プロセスなどによって認識している。そして、１行目（Ｌ１Ａ＋Ｌ１Ｂ）を行幅方向（図２Ｂの左右方向）で分割して２つの部分Ｌ１Ａ、Ｌ１Ｂに分け、Ｄ１では、これらが分割線ＤＬを挟んで改行方向（図２Ｂの上下方向）に順に並ぶように表示する。ここで、２つの部分に分けるのではなく、より大きな拡大率を達成すべく、３つの部分、４つの部分などに分けてもよい（図１も同様）。Ｄ１にて、Ｌ１Ｂの下には境界線ＨＬが描かれる。次に、Ｌ２Ａ、Ｌ２Ｂと続く。
【００２０】
この構成によって、ユーザーは行部分Ｌ１Ａを読んだ後、表示を切り替えずに、図１の実施形態の場合よりも近くにある分割線ＤＬの下の行部分Ｌ１Ｂを読むことができ、さらに、その後表示を切り替えずに、行部分Ｌ２Ａ、行部分Ｌ２Ｂを読むことができる。
【００２１】
なお、Ｌ１Ａ、Ｌ２Ａの領域の左上には、行の開始位置であることを示す開始識別子ＳＴが表示される。また、Ｌ１Ｂ、Ｌ２Ｂの領域の右下には、行の終了位置であることを示す終了識別子ＥＮが表示される。すなわち、開始識別子ＳＴ、終了識別子ＥＮは、部分文書領域における部分行領域どうしの位置関係を表す表示である。これによって、表示されている行部分が実際の行のどの部分であるかということを容易に識別することができるようになる。開始識別子ＳＴ、終了識別子ＥＮには、本の一部を表現した画像を用いることもよい。例えば、本の縁部分を表現した画像を用いる。また、部分行領域をタッチした際の反応によって、行の開始位置であること、行の終了位置であることを表現することもよい。例えば、タッチすると、タッチされた部分行領域が、左（開始位置の場合）又は右（終了位置の場合）に動いてすぐに戻るというような反応がよい。
【００２２】
画像Ｐ１はサンルーフ付きの車が全面に描かれている画像であり、分割すると画像がわかりにくくなると想定される「分割困難画像」である。画像Ｐ１の表示については、これをそのまま表示装置２０に表示した場合、関心オブジェクトである文字列部分のＡＡＡ、ＢＢＢが小さくなってしまい、よく読めないことがある。よって、画像Ｐ１Ｂに示されているように、画像の倍率よりも大きな倍率で関心オブジェクトである文字列部分のＡＡＡ、ＢＢＢを表示する。
【００２３】
関心オブジェクトはユーザーにとって関心があると想定されるオブジェクトのことであり、文字に限らず、グラフ上の重要な箇所、写真上の重要な箇所などであってもよい。なお、図２Ｂのように関心オブジェクトの表示倍率が拡大された画像Ｐ１Ｂを最初に表示するのではなく、まず図１Ｃの画像Ｐ１Ａを表示して、ユーザーによる所定操作を受けて、関心オブジェクトの表示倍率が拡大された画像Ｐ１Ｂを表示したり、ユーザーがタップした箇所の表示倍率が拡大された画像（図示せず）を表示してもよい。
【００２４】
図３は、本発明の一実施例に従う表示プロセスの流れ図である。ステップＳ１にて、一又は複数の行を行幅方向で分割して複数の部分行領域に分ける。ステップＳ２にて、各部分行領域を順に、各部分行領域が改行方向に並ぶように、部分行表示状態で表示する。ステップＳ３にて、本プロセスを終了しない場合は、ステップＳ４にて次に移り、ステップＳ１、Ｓ２を繰り返す。
【００２５】
図４は、本発明の一実施例に従う表示プロセスの流れ図であり、図３と比べて画像の表示プロセスを含む。まず、ステップＳ１０にて、文書内の分割困難画像を検出したかどうか判断する。検出せずに文の表示であれば、図３と同様にステップＳ１〜３に進む。分割困難画像の表示であれば、ステップＳ１１にて、分割困難画像において、拡大が必要であると考えられる関心オブジェクトを検出する。
【００２６】
その後、分割困難画像から関心オブジェクトを取り除いた「関心オブジェクト除去画像」を作成し、それに拡大された関心オブジェクトを元の位置、付近の疎位置（オブジェクトが少ない位置）、あるいは引き出し線を付けて疎位置に、重ね合わせることによって、「関心オブジェクト拡大画像」を作成する。そして、ステップＳ１２にて、分割困難画像全体の倍率よりも大きな倍率で関心オブジェクトを表示するように分割困難画像を表示装置に表示する。
【００２７】
本発明によって、上記実施形態に従う文書表示方法も提供することができる。
【００２８】
以上、本発明の実施形態について説明したが、本発明は上述した実施形態に制限されるものではなく、適宜変更が可能である。
【００２９】
図１、図２に示した例では、行が左から右に進む横書きの文書を例に説明したが、本発明は、行が右から左に進む横書きの文書でもよく、また、日本語の縦書きのように、行が上から下に進み改行方向が右から左に進む縦書きの文書にも同様に適用することができる。
【００３０】
図１、図２に関する説明は、便宜上一方に対する説明の中で説明しているものもあるが、それらは図１、図２の両方に適用される。
【図１】
2015036960.tif 000003
【図２】
2015036960.tif 000004
【図３】
2015036960.tif 000005
【図４】
2015036960.tif 000006
【図５】
2015036960.tif 000007